(57)【特許請求の範囲】
【請求項１】
電動送風機を有する掃除機本体と、この掃除機本体に対して着脱自在に取り付けられる集塵部とからなるスティック型のサイクロン式電気掃除機において、前記集塵部を、有底で略円筒形状のサイクロン部と、前記サイクロン部の軸方向と略平行にして前記サイクロン部に塵埃を含む気流を導入する導入部と、前記サイクロン部と前記導入部を連結するリブと、を樹脂で一体成形することにより形成し、前記集塵部の上部に渦流発生手段を設け、前記導入部の下端に吸込口体を着脱自在に取り付けたことを特徴とするサイクロン式電気掃除機。
【請求項２】
前記渦流発生手段を前記集塵部に対し着脱自在に設けたことを特徴とする請求項１記載のサイクロン式電気掃除機。
【請求項３】
前記渦流発生手段を前記導入部と一体に成形したことを特徴とする請求項１記載のサイクロン式電気掃除機。
【請求項４】
前記集塵部の前記掃除機本体に取り付けられる上部に開口部を形成し、この上部側に前記渦流発生手段を設けると共に、前記導入部を円筒形状に形成し、前記上部側に前記導入部と前記サイクロン部とを連通する導入口を設け、この導入口を前記導入部の軸と直交する方向に開放するように形成したことを特徴とする請求項１〜３のいずれか１項記載のサイクロン式電気掃除機。
【請求項５】
前記導入口を前記サイクロン部の側壁に設けたことを特徴とする請求項４記載のサイクロン式電気掃除機。
【請求項６】
前記導入部の軸方向上端側を閉塞し、前記導入部からの気流を前記導入口へ導入する導入壁を設け、この導入壁を滑らかな曲面状に形成したことを特徴とする請求項４又は５記載のサイクロン式電気掃除機。
【発明の詳細な説明】
【発明が属する技術分野】
本発明はサイクロン式の電気掃除機、特にスティック型のサイクロン式電気掃除機に関するものである。
【発明が解決しようとする課題】
従来この種のサイクロン式電気掃除機としては、例えば特開２００１−１０４２２３号公報等に記載されているものが知られている。これは、電動送風機が内蔵され、後部に吸気通路（導入部）が設けられると共に下部に吸口体（吸込口体）が設けられた掃除機本体に対して、有底であると共に側壁に接線方向に吸気口が形成されたダストボックス（サイクロン部）を着脱自在に取り付けたものである。そして、電動送風機を駆動することで、吸口体から塵埃を含む空気が吸い込まれる。そして、この吸い込まれた空気は、吸気通路から吸気口を経てダストボックス内に至ると共に渦流となり、このダストボックス内で遠心力によって塵埃が分離される。
しかしながら、これらのサイクロン式電気掃除機においては、ダストボックスの上部寄りから塵埃を含んだ空気を導入しなければならないため、吸口体からダストボックスまでの吸気通路が長くならざるを得ず、その結果、掃除機全体の構造が複雑になると共に部品点数が増えることによって価格が高くなってしまうばかりでなく、増加した部品間の接合箇所で気流漏れが発生する虞があった。また、前記ダストボックスは、吸口体から電動送風機に至る経路に対して掃除機本体の排気口と吸気通路との２箇所で接合しており、気流漏れが発生する確率が高くなる虞があった。更に、例えばフィルム状や塊状の塵を吸引してしまった場合、この塵が吸気通路に詰まってしまうことがあるが、このように吸気通路に塵が詰まってしまった場合の除去が難しく、保守整備性に劣るという問題があった。
本発明は以上の問題点を解決し、吸気通路が長いにもかかわらず構造が単純で気流漏れが少なく、保守整備性が良好なサイクロン式電気掃除機を提供することを目的とする。
【課題を解決するための手段】
本発明のサイクロン式電気掃除機は、電動送風機を有する掃除機本体と、この掃除機本体に対して着脱自在に取り付けられる集塵部とからなるスティック型のサイクロン式電気掃除機において、前記集塵部を、有底で略円筒形状のサイクロン部と、前記サイクロン部の軸方向と略平行にして前記サイクロン部に塵埃を含む気流を導入する導入部と、前記サイクロン部と前記導入部を連結するリブと、を樹脂で一体成形することにより形成し、前記集塵部の上部に渦流発生手段を設け、前記導入部の下端に吸込口体を着脱自在に取り付けたものである。
本発明は以上のように構成することにより、前記集塵部の導入部の下端に取り付けられた吸込口体から吸引された気流が、前記導入部を上昇して、この導入部と同一の部材によって一体に形成されたサイクロン部に導入され、このサイクロン部内で渦流発生手段によって渦流となることで、遠心力で塵埃を分離した後、前記電動送風機を通過して前記掃除機本体外に放出される。そして、前記サイクロン部に溜まった塵埃は、前記導入部ごと前記集塵部を取り外すことで廃棄される。
また、本発明のサイクロン式電気掃除機は、請求項１において、前記渦流発生手段を前記集塵部に対し着脱自在に設けたものである。
本発明は以上のように構成することにより、前記集塵部を掃除機本体から取り外し、前記渦流発生手段を前記集塵部から取り外すことで、前記サイクロン部及び導入部が容易に保守整備可能となる。
また、本発明のサイクロン式電気掃除機は、請求項１において、前記渦流発生手段を前記導入部と一体に成形したものである。
本発明は以上のように構成することにより、気流漏れの可能性がより低減される。
また、本発明のサイクロン式電気掃除機は、請求項１〜３のいずれか１項において、前記集塵部の前記掃除機本体に取り付けられる上部に開口部を形成し、この上部側に前記渦流発生手段を設けると共に、前記導入部を円筒形状に形成し、前記上部側に前記導入部と前記サイクロン部とを連通する導入口を設け、この導入口を前記導入部の軸と直交する方向に開放するように形成したものである。
本発明は以上のように構成することにより、前記導入部からサイクロン部にかけて気流漏れの可能性がより低減される。
また、本発明のサイクロン式電気掃除機は、請求項４において、前記導入口を前記サイクロン部の側壁に設けたものである。
本発明は以上のように構成することにより、前記サイクロン部内で渦流を効率良く発生させることができる。
また、本発明のサイクロン式電気掃除機は、請求項４又は５において、前記導入部の軸方向上端側を閉塞し、前記導入部からの気流を前記導入口へ導入する導入壁を設け、この導入壁を滑らかな曲面状に形成したものである。
本発明は以上のように構成することにより、前記導入壁によって、前記導入部からの気流をスムーズに前記導入口へ導くことができる。
【発明の実施形態】
以下、本発明の第一実施形態について、図１〜図８に基づいて説明する。なお、本発明の実施形態においては、図１〜図３の姿勢を基準として、前後及び上下を規定する。
図１〜図３において、１は掃除機本体である。この掃除機本体１内には、電動機２と、この電動機２の回転軸に取り付けられたファン３が設けられており、これら電動機２とファン３で電動送風機４が構成されている。また、前記掃除機本体１の下部には、略短円筒状で且つ下端５Ａが平坦に形成されたガイド部５が設けられており、このガイド部５に、下方が開放した吸気孔６が形成されていると共に、この吸気孔６によって、前記ガイド部５の下方と電動送風機４とが連通している。また、前記ガイド部５には、吸気孔６を覆うように保護枠７が形成されている。また、前記ガイド部５の正面側には可動フック８が設けられている。更に、前記ガイド部５の後方には下方に突出した凸部９が形成されていると共に、この凸部９の側面に、後方に突出した固定フック10が形成されている。このように、掃除機本体１は単純な構造に構成されている。
前記掃除機本体１の下方には、樹脂製の集塵部11が着脱自在に取り付けられている。この集塵部11には、その上部に前記ガイド部５が挿入される開口部たる第一開口部12と、凸部９が挿入される第二開口部13が形成されている。そして、前記第一開口部12の下方には、有底で且つ下方がやや細くなった略円筒状のサイクロン部14が形成されていると共に、前記第二開口部13の下方には、前記サイクロン部14の軸方向と略平行で且つ内面が円筒状の導入部15が形成されている。なお、これらサイクロン部14と導入部15は同一の部材によって一体に形成されている。また、前記導入部15と第二開口部13の間には導入壁16が形成されることで、導入部15の上端が閉塞されていると共に、前記サイクロン部14の上部と前記導入部15の上端近傍との間の側壁に導入口17が形成されている。これによって、前記導入部15の下端から導入部15及び導入口17を経て前記サイクロン部14に至る経路が、同一の部材によって一体に構成されている。なお、前記導入壁16は、前記導入部15を上昇してきた気流の方向を、前記導入部15の軸直方向にスムーズに曲げて前記導入口17から前記サイクロン部14に導入するために、滑らかな曲面状に形成されている。
更に、前記第一開口部12の前側には、前記可動フック８と係合する第一受部18が形成されていると共に、前記第二開口部13の後側には、前記固定フック10と係合する第二受部19が形成されている。なお、11Ａはリブであり、前記集塵部11の剛性を高めるために、前記サイクロン部14と導入部15の間に一体形成されてこれらを連結している。このように、前記集塵部11は単純な構造に構成されている。また、前記導入部15の下端には、吸込口体たるノズル20が着脱自在に取り付けられている。
更に、前記第一開口部12には、渦流発生手段たる渦流発生部材21が着脱自在に取り付けられている。この渦流発生部材21は、前記第一開口部12とサイクロン部14の間の段部14Ａに載置するフランジ部22と、このフランジ部22と一体に形成された短円筒状の基部23と、この基部23の側面に形成された導風部24と、前記フランジ部22と前記導風部24の底部24Ａとの間に連設された傾斜案内部24Ｂと、前記基部23の下端に形成された第一通風口25と、前記基部23の側面に設けられた第二通風口26と、これら第一及び第二通風口25，26にそれぞれ設けられたフィルタ27，28と、前記第一通風口25の外周に設けられた略短円筒状のスカート部29とで構成されている。そして、前記渦流発生部材21は、その導風部24が前記導入口17に臨んだ状態で前記第一開口部12に対して取り付けられる。また、前記渦流発生部材21の上部には、袋状のフィルタ30が設けられたフィルタ部材31が設けられている。このフィルタ部材31の枠32は軟質樹脂又はゴムで形成されており、この枠32の外周に形成されたシール部33が前記第一開口部12の内周に対して密接可能に構成されている。また、前記枠32の上部にはリップ部34が形成されており、前記渦流発生部材21及び前記フィルタ部材31が取り付けられた前記集塵部11を前記掃除機本体１に取り付けた際に、前記リップ部34が前記吸気孔６を囲むように前記ガイド部５の下端５Ａと密接可能に構成されている。
なお、35は掃除機本体１に対して着脱自在に取り付けられた把持部である。また、これら掃除機本体１及び把持部35には、それぞれ引掛部36，37が形成されており、これら引掛部36，37の間に掃除機本体１から延出する電源コード38が巻き付け可能に構成されている。更に、前記把持部35にはスイッチ操作部39が設けられている。
つぎに、本実施形態の作用について説明する。まず、使用者は前記集塵部11の第一開口部12に前記渦流発生部材21及びフィルタ部材31を取り付ける。このとき、前記フィルタ部材31のシール部33が前記第一開口部12の内壁に密接する。そして、前記集塵部11の第二受部19を前記固定フック10と係合させた後、前記第一受部18を前記可動フック８と係合させることで、前記集塵部11が前記掃除機本体１に対して取り付けられる。このとき、前記ガイド部５が前記第一開口部12に挿入されると共に、前記凸部９が前記第二開口部13に挿入されることで、前記集塵部11が前記掃除機本体１に対して位置決めされる。そして、前記フィルタ部材31のリップ部34が、前記吸気孔６を囲むように前記ガイド部５の下端５Ａと密接する。これによって、前記サイクロン部14内から前記吸気孔６に至る経路がシールされる。更に、前記導入部15の下端に前記ノズル20を取り付ける。
そして、前記電源コード38を前記引掛部36，37から外し、図示しないコンセントに差し込んでスイッチ操作部39を操作すると、前記電動送風機４が駆動される。そして、この電動送風機４の駆動によって、塵埃を含んだ気流が前記ノズル20から吸い込まれる。この気流は、前記ノズル20から吸い込まれて前記導入部15を上昇し、この導入部15の上端で前記導入壁16に沿って向きを変えると共に、前記導入口17から前記サイクロン部14に導入される。このとき、前記導入部15の下端からこの導入部15及び前記導入口17を経て前記サイクロン部14に至る経路が、同一の部材によって一体に構成されているため、気流がこの区間でリークする虞が殆どない。そして、前記サイクロン部14に導入された気流は、前記渦流発生部材21の基部23側面に形成された前記導風部24に導かれて、前記サイクロン部14の内周面に沿って渦流となる。この渦流は、前記サイクロン部14を１周したときに、前記傾斜案内部24Ｂによって下方に導かれることになり、これによって、渦流は螺旋状に下降することになる。この際、この渦流に含まれる塵埃は、遠心力によって前記サイクロン部14の内周面に押し付けられることになる。そして、前記渦流が前記サイクロン部14の底部に至ると、前記サイクロン部14の内周面側で下降していた渦流は前記サイクロン部14の中央付近で上昇に転じる。このとき、前述したように、渦流に含まれていた塵埃は遠心力によって前記サイクロン部14の内周面に押し付けられているので、渦流が前記サイクロン部14の内周面側から中央付近に流れたとしても、比較的粗い塵埃はそのまま前記サイクロン部14の内周面付近に留まることになり、渦流から分離される。
一方、比較的細かい塵埃は、渦流に混じって前記サイクロン部14の中央付近まで移動し、渦流の上昇に伴って前記サイクロン部14内を上昇することになる。そして、この上昇した渦流の多くは、上方の前記渦流発生部材21の下部に形成されている前記第一通風口25を通過すると共に、一部は前記渦流発生部材21の側面に形成されている前記第二通風口26を通過することになる。この際、渦流に含まれている比較的細かい塵埃は、前記第一及び第二通風口25，26に取り付けられている前記フィルタ27，28によって捕集され、更にこのフィルタ27，28を通過した、より細かい塵埃は、前記渦流発生部材21の上方に設けられた前記フィルタ部材31のフィルタ30によって捕集される。なお、前述したとおり、渦流の多くは前記第一通風口25を通過することになり、このため、前記フィルタ28よりも前記フィルタ27の方がより多く塵埃を捕集することになるので、特に綿埃等によって前記フィルタ27が塞がれてしまうことが起こりがちであるが、前記渦流発生部材21の側面に前記第二通風口26が形成されていることで、前記フィルタ27が塞がれてしまうことがあっても、渦流が前記第二通風口26を通過することで一定の流量は確保される。また、前記第一通風口25の外周には短円筒状の前記スカート部29が形成されているため、捕集された塵埃で前記フィルタ27が塞がれ、上昇した渦流が前記フィルタ27に当たった後に前記第二通風口26に流れたとしても、前記フィルタ27に当たった渦流は前記スカート部29を越えなければならず、従って捕集された塵埃が渦流に乗って移動することが前記スカート部29によって抑制されるので、前記フィルタ28が塵埃で塞がれてしまうことが抑制されることになる。そして、前記渦流発生部材21のフィルタ27，28及び前記フィルタ部材31のフィルタ30を通過した気流は、前記吸気孔６から前記電動送風機４に至り、更に前記掃除機本体１外に抜ける。
清掃終了後、前記ノズル20を前記導入部15の下端から取り外した後、前記可動フック８を操作して前記集塵部11を前記掃除機本体１から取り外す。そして、前記フィルタ部材31及び渦流発生部材21を前記第一開口部12から取り外し、前記フィルタ27，28，30に付着した塵埃を除去する。また、前記サイクロン部14に溜まった塵埃をゴミ箱に捨てる。このとき、前記集塵部11には前記サイクロン部14と導入部15が一体に形成されているため、前記サイクロン部14内の塵埃を簡単に捨てることができるばかりでなく、軽い前記集塵部11を持って前記導入部15内に溜まってしまった塵埃も簡単に除去できる。従って、清掃途中でシート状物等を吸い込んでしまい、前記導入部15や導入口17に詰まってしまった場合でも、簡単に除去することができる。更に、前記集塵部11は樹脂で一体成形されているため、水洗いが可能であり、従って、水洗いすれば前記サイクロン部14及び導入部15をより一層清浄な状態にすることができる。
以上のように、電動送風機４を有する掃除機本体１と、この掃除機本体１に対して着脱自在に取り付けられる集塵部11よりなるサイクロン式電気掃除機において、前記集塵部11を、有底で略円筒形状のサイクロン部14と、このサイクロン部14に塵埃を含む気流を導入する導入部15とで構成し、前記サイクロン部14と前記導入部15とを一体に形成すると共に、前記集塵部11に渦流発生手段たる渦流発生部材21を設け、前記導入部15に吸込口体たるノズル20を着脱自在に取り付けたものであるので、このノズル20から吸引された気流が、前記集塵部11の導入部15を通過して、この導入部15と一体に形成された前記サイクロン部14に導入され、このサイクロン部14内で前記渦流発生部材21によって渦流となることで、遠心力で塵埃を分離した後、前記電動送風機４を通過して前記掃除機本体１外に放出される。そして、前記サイクロン部14に溜まった塵埃は、前記導入部15ごと前記集塵部11を取り外すことで廃棄される。したがって、複雑な構造になりがちなサイクロン式電気掃除機でありながら、前記掃除機本体１の構造を単純にできるばかりでなく、前記サイクロン部14に溜まった塵埃が前記導入部15ごと前記集塵部11を取り外すことで廃棄されるので、前記サイクロン部14のみならず前記導入部15の保守整備を容易に行うことができる。さらに、前記導入部15から前記サイクロン部14までの構造が単純にでき、また部品点数が削減できるので、安価にすることができるばかりでなく、前記導入部15から前記サイクロン部14までの間に接合箇所が無いことで、前記サイクロン式電気掃除機全体における接合箇所が少なくできるので、吸気通路における気流漏れの可能性を低減して集塵性能を高めることができる。
また、前記渦流発生部材21を前記集塵部11へ着脱自在に設けたものであるから、前記集塵部11を前記掃除機本体１から取り外し、前記渦流発生部材21を集塵部11から取り外すことで、前記サイクロン部14及び導入部15を容易に保守整備可能となるので、簡単に前記集塵部11を保守整備して集塵性能を保つことができる。
また、前記集塵部11の前記掃除機本体１に取り付けられる上部に開口部たる第一開口部12，第二開口部13を形成し、この上部側に前記渦流発生部材21を設けると共に、前記導入部15を円筒形状に形成し、前記上部側に前記導入部15と前記サイクロン部14とを連通する導入口17を設け、この導入口17を前記導入部15の軸交差方向に開放するように形成したものであるから、前記導入部15からサイクロン部14にかけて気流漏れの可能性がより低減されるので、集塵性能をより高めることができる。
また、前記導入部15の上端側の軸方向を閉塞し、前記導入部15からの気流を前記導入口17へ導入する導入壁16を設け、この導入壁16を滑らかな曲面状に形成したものであるから、前記導入壁16によって、前記導入部15からの気流をスムーズに前記導入口17へ導くことができる。
さらに、前記サイクロン部14と導入部15の間に、これらを連結するリブ11Ａを一体に形成したので、集塵部11の剛性を高くし、集塵部11の破損等を防止することができる。
つぎに、本発明の第二実施形態について、図９〜図１１に基づいて説明する。なお、第一実施形態と同一の部分には、同じ符号を付し、その詳細な説明を省略する。
前記掃除機本体１の下方には、樹脂製の集塵部51が着脱自在に取り付けられている。この集塵部51には、その上部に前記ガイド部５が挿入される開口部たる第一開口部52と、凸部９が挿入される第二開口部53が形成されている。そして、前記第一開口部52の下方には、有底で且つ下方がやや細くなった略円筒状のサイクロン部54が形成されていると共に、前記第二開口部53の下方には、前記サイクロン部54の軸方向と略平行で且つ内面が円筒状の導入部55が形成されている。なお、これらサイクロン部54と導入部55は同一の部材によって一体に形成されている。
また、第一開口部52及び第二開口部53には、渦流発生手段たる渦流発生部材61が設けられている。この渦流発生部材61は、下向きの略円錐形状の円錐部61Ａと、この円錐部61Ａに連続した導入壁56とを備え、同一の部材によって一体に形成されている。そして、この渦流発生部材61は、第一開口部52に円錐部61Ａ、第二開口部53に導入壁56が対応して集塵部51に対し着脱自在に取り付けられている。
前記導入壁56が前記導入部55と第二開口部53の間に取り付けられることで、前記導入部55の上端が閉塞されると共に、前記サイクロン部54の上部と前記導入部55の上端近傍との間の側壁に導入口57が形成される。なお、前記導入壁56は、前記導入部55を上昇してきた気流の方向を、前記導入部55の軸直方向にスムーズに曲げて前記導入口57からサイクロン部54に導入するために、滑らかな曲面状に形成されている。また、前記サイクロン部54は、その側壁における一方の接線方向に前記導入口57を開放するように構成されている。すなわち、前記導入壁56の側面たる導入側壁56Ａが、前記導入部55をサイクロン部54の一方の接線方向へ略直線的に結ぶように構成されている。したがって、前記導入部55を上昇してきた気流は、前記サイクロン部54の側壁における一方の接線方向へ向かって導入されるようになっている。
前記円錐部61Ａは、前記第一開口部52とサイクロン部54の間の段部54Ａに載置するフランジ部62と、このフランジ部62と一体に形成された円錐状の基部63と、前記基部63の側面に設けられた通風口64と、この通風口64に設けられたフィルタ65とで構成されている。また、前記渦流発生部材61の上部には、袋状のフィルタ70が設けられたフィルタ部材71が設けられている。このフィルタ部材71の枠72は軟質樹脂又はゴムで形成されており、この枠72の外周に形成されたシール部73が前記第一開口部52及び第二開口部53の内周に対して密接可能に構成されている。また、前記枠72の上部にはリップ部74が形成されており、前記渦流発生部材61及びフィルタ部材71が取り付けられた前記集塵部51を前記掃除機本体１に取り付けた際に、前記リップ部74が前記吸気孔６を囲むように、前記ガイド部５の下端５Ａと密接可能に構成されている。
更に、前記第一開口部52の前側には、前記可動フック８と係合する第一受部58が形成されていると共に、前記第二開口部53の後側には、前記固定フック10と係合する第二受部59が形成されている。なお、51Ａはリブであり、集塵部51の剛性を高めるために、前記サイクロン部54と導入部55の間に一体形成されてこれらを連結している。また、このリブ51Ａに隣接して、サイクロン部54の下端近傍には、前記集塵部51と一体に脚部51Ｂが設けられている。この脚部51Ｂの下端と前記導入部55の下端は面一に形成されており、前記掃除機本体１から前記集塵部51を取り外した際に、この集塵部51が自立可能に構成されている。このように、前記集塵部51は単純な構造に構成されている。また、前記導入部55の下端には、吸込口体たるノズル20が着脱自在に取り付けられている。
つぎに、本実施形態の作用について説明する。まず、使用者は前記集塵部51の第一開口部52及び第二開口部53に前記渦流発生部材61及びフィルタ部材71を取り付ける。このとき、前記フィルタ部材71のシール部73が前記第一開口部52及び第二開口部53の内壁に密接する。そして、前記集塵部51の第二受部59を前記固定フック10と係合させた後、前記第一受部58を前記可動フック８と係合させることで、前記集塵部51が前記掃除機本体１に対して取り付けられる。このとき、前記ガイド部５が前記第一開口部52に挿入されると共に、前記凸部９が前記第二開口部53に挿入されることで、前記集塵部51が前記掃除機本体１に対して位置決めされる。そして、前記フィルタ部材71のリップ部74が、前記吸気孔６を囲むように、前記ガイド部５の下端５Ａと密接する。これによって、前記サイクロン部54内から前記吸気孔６に至る経路がシールされる。更に、前記導入部55の下端に前記ノズル20を取り付ける。
そして、前記電源コード38を前記引掛部36，37から外し、図示しないコンセントに差し込んで前記スイッチ操作部39を操作すると、前記電動送風機４が駆動される。そして、この電動送風機４の駆動によって、塵埃を含んだ気流が前記ノズル20から吸い込まれる。この気流は、前記ノズル20から吸い込まれて前記導入部55を上昇し、この導入部55の上端で前記導入壁56に沿って向きを変えると共に、前記導入口57から前記サイクロン部54の側壁における一方の接線方向に向かって、前記サイクロン部54に導入される。そして、前記サイクロン部54に導入された気流は、前記サイクロン部54の内周面に沿って渦流となり、螺旋状に下降することになる。この際、この渦流に含まれる塵埃は、遠心力によって前記サイクロン部54の内周面に押し付けられることになる。そして、前記渦流が前記サイクロン部54の底部に至ると、前記サイクロン部54の内周面側で下降していた渦流は前記サイクロン部54の中央付近で上昇に転じる。このとき、前述したように、渦流に含まれていた塵埃は遠心力によって前記サイクロン部54の内周面に押し付けられているので、渦流が前記サイクロン部54の内周面側から中央付近に流れたとしても、比較的粗い塵埃はそのまま前記サイクロン部54の内周面付近に留まることになり、渦流から分離される。
一方、比較的細かい塵埃は、渦流に混じって前記サイクロン部54の中央付近まで移動し、渦流の上昇に伴って前記サイクロン部54内を上昇することになる。そして、この上昇した渦流は、上方の前記渦流発生部材61の側面に形成されている前記通風口64を通過することになる。この際、渦流に含まれている比較的細かい塵埃は、前記通風口64に取り付けられている前記フィルタ65によって捕集され、更にこのフィルタ65を通過した、より細かい塵埃は、前記渦流発生部材61の上方に設けられた前記フィルタ部材71のフィルタ70によって捕集される。そして、前記渦流発生部材61のフィルタ65及び前記フィルタ部材71のフィルタ70を通過した気流は、前記吸気孔６から前記電動送風機４に至り、更に前記掃除機本体１外に抜ける。
清掃終了後、前記ノズル20を前記導入部55の下端から取り外した後、前記可動フック８を操作して前記集塵部51を前記掃除機本体１から取り外す。そして、前記フィルタ部材71及び渦流発生部材61を前記第一開口部52及び第二開口部53から取り外し、前記フィルタ65，70に付着した塵埃を除去する。また、前記サイクロン部54に溜まった塵埃をゴミ箱に捨てる。このとき、前記集塵部51には前記サイクロン部54と導入部55が一体に形成されているため、前記サイクロン部54内の塵埃を簡単に捨てることができるばかりでなく、軽い前記集塵部51を持って前記導入部55内に溜まってしまった塵埃も簡単に除去できる。従って、清掃途中でシート状物等を吸い込んでしまい、前記導入部55や導入口57に詰まってしまった場合でも、簡単に除去することができる。特に、前記導入壁56が前記渦流発生部材61として前記集塵部51に対して着脱自在に構成されており、前記渦流発生部材61を取り外した際に前記導入部55が上下軸方向に貫通するので、前記導入部55に物が詰まったときに除去しやすく、保守性に優れる。更に、前記集塵部51は樹脂で一体成形されているため、水洗いが可能であり、従って、水洗いすれば前記サイクロン部54及び導入部55をより一層清浄な状態にすることができる。更に、前記サイクロン部54の下端近傍に設けた脚部51Ｂと導入部55の下端によって、前記集塵部51は第一開口部52，第二開口部53を上に向けて自立可能に構成されているので、塵埃を捨てる際などに塵埃を散らかすことなく一時的に置いておくことが可能であり、便利である。
以上のように、電動送風機４を有する掃除機本体１と、この掃除機本体１に対して着脱自在に取り付けられる集塵部51よりなるサイクロン式電気掃除機において、前記集塵部51を、有底で略円筒形状のサイクロン部54と、このサイクロン部54に塵埃を含む気流を導入する導入部55とで構成し、前記サイクロン部54と前記導入部55とを一体に形成すると共に、前記集塵部51に渦流発生手段たる渦流発生部材61を設け、前記導入部55に吸込口体たるノズル20を着脱自在に取り付けたものであるので、前記ノズル20から吸引された気流が、前記集塵部51の導入部55を通過して、この導入部55と一体に形成された前記サイクロン部54に導入され、このサイクロン部54内で前記渦流発生部材61によって渦流となることで、遠心力で塵埃を分離した後、前記電動送風機４を通過して前記掃除機本体１外に放出される。そして、前記サイクロン部54に溜まった塵埃は前記導入部55ごと前記集塵部51を取り外すことで廃棄される。したがって、複雑な構造になりがちなサイクロン式電気掃除機でありながら前記掃除機本体１の構造を単純にできるばかりでなく、前記導入部55ごと前記集塵部51を取り外すことで前記サイクロン部54のみならず前記導入部55の保守整備を容易に行うことができる。さらに、前記導入部55から前記サイクロン部54までの構造が単純にでき、また部品点数が削減できるので、安価にすることができるばかりでなく、前記導入部55から前記サイクロン部54までの間の接合箇所が１箇所だけであることでサイクロン式電気掃除機全体における接合箇所を少なくできるので、吸気通路における気流漏れの可能性を低減して集塵性能を高めることができる。
また、前記渦流発生部材61を前記集塵部51に対し着脱自在に設けたものであるから、前記集塵部51を前記掃除機本体１から取り外し、前記渦流発生部材61を前記集塵部51から取り外すことで、前記サイクロン部54及び導入部55を容易に保守整備可能となるので、簡単に前記集塵部51を保守整備して集塵性能を保つことができる。
また、前記集塵部51の前記掃除機本体１に取り付けられる上部に開口部たる第一開口部52，第二開口部53を形成し、この上部側に前記渦流発生部材61を設けると共に、前記導入部55を円筒形状に形成し、前記上部側に前記渦流発生部材61を取り付けることで前記導入部55と前記サイクロン部54とを連通する導入口57が形成されるようにし、この導入口57を前記導入部55の軸交差方向に開放するように形成したものであるから、前記渦流発生部材61を前記集塵部51から取り外すことで前記導入部55が軸方向に開放することになり、より簡単に前記集塵部51を保守整備して集塵性能を保つことができる。
また、前記導入口57を前記サイクロン部54の側壁の接線方向に開放するように構成したものであるから、前記サイクロン部54内で渦流を効率良く発生させることができる。
また、前記導入部55の前記一端側の軸方向を前記渦流発生部材61によって閉塞し、この渦流発生部材61に前記導入部55からの気流を前記導入口57へ導入する導入壁56を設け、この導入壁56を滑らかな曲面状に形成したものであるから、前記導入壁56によって、前記導入部55からの気流をスムーズに前記導入口57へ導くことができる。
さらに、前記サイクロン部54と導入部55の間に、これらを連結するリブ51Ａを一体に形成したので、前記集塵部51の剛性を高くし、この集塵部51の破損等を防止することができる。
また、前記サイクロン部54の下端近傍には、前記集塵部51と一体に脚部51Ｂが設けられ、この脚部51Ｂの下端と前記導入部55の下端は面一に形成されているので、前記掃除機本体１から前記集塵部51を取り外した際に、前記集塵部51を平坦な場所に自立させることができる。
さらに、本発明の第三実施形態について、図１２〜図１４に基づいて説明する。なお、第一及び第二実施形態と同一の部分には同じ符号を付し、その詳細な説明を省略する。
前記掃除機本体１の下方には、樹脂製の集塵部81が着脱自在に取り付けられている。この集塵部81には、その上部に前記ガイド部５が挿入される開口部たる第一開口部82と、凸部９が挿入される第二開口部83が形成されている。そして、前記第一開口部82の下方には、有底で且つ下方がやや細くなった略円筒状のサイクロン部84が形成されていると共に、前記第二開口部83の下方には、前記サイクロン部84の軸方向と略平行で且つ内面が円筒状の導入部85が形成されている。なお、これらサイクロン部84と導入部85は同一の部材によって一体に形成されている。
また、前記導入部85と第二開口部83の間には渦流発生手段としての導入壁86が前記集塵部81と一体に形成されることで、前記導入部85の上端が閉塞されていると共に、前記サイクロン部84の上部と前記導入部85の上端近傍との間の側壁に導入口87が形成されている。これによって、前記導入部85の下端から前記導入部85及び導入口87を経て前記サイクロン部84に至る経路が、同一の部材によって一体に構成されている。なお、前記導入壁86は、前記導入部85を上昇してきた気流の方向を前記導入部85の軸直方向にスムーズに曲げて前記導入口87から前記サイクロン部84に導入するために、滑らかな曲面状に形成されている。また、前記サイクロン部84は、その側壁における一方の接線方向に前記導入口87を開放するように構成されている。すなわち、前記導入壁86の側面たる導入側壁86Ａが、前記導入部85を前記サイクロン部84の一方の接線方向へ略直線的に結ぶように構成されている。したがって、前記導入部85を上昇してきた気流は、前記サイクロン部84の側壁の一方の接線方向へ向かって導入されるようになっている。
更に、前記第一開口部82には、円錐部91が着脱自在に取り付けられている。この円錐部91は、前記第一開口部82とサイクロン部84の間の段部84Ａに載置するフランジ部92と、このフランジ部92と一体に形成された円錐状の基部93と、この基部93の側面に設けられた通風口94と、この通風口94に設けられたフィルタ95とで構成されている。また、前記円錐部91の上部には、袋状のフィルタ70が設けられたフィルタ部材71が設けられている。このフィルタ部材71の枠72は軟質樹脂又はゴムで形成されており、この枠72の外周に形成されたシール部73が前記第一開口部82及び第二開口部83の内周に対して密接可能に構成されている。また、前記枠72の上部にはリップ部74が形成されており、前記円錐部91及びフィルタ部材71が取り付けられた前記集塵部81を前記掃除機本体１に取り付けた際に、前記リップ部74が前記吸気孔６を囲むように前記ガイド部５の下端５Ａと密接可能に構成されている。
更に、前記第一開口部82の前側には、前記可動フック８と係合する第一受部88が形成されていると共に、前記第二開口部83の後側には、前記固定フック10と係合する第二受部89が形成されている。なお、81Ａはリブであり、前記集塵部81の剛性を高めるために、前記サイクロン部84と導入部85の間に一体形成されてこれらを連結している。また、前記リブ81Ａに隣接して、前記サイクロン部84の下端近傍には、前記集塵部81と一体に脚部81Ｂが設けられている。この脚部81Ｂの下端と前記導入部85の下端は面一に形成されており、前記掃除機本体１から前記集塵部81を取り外した際に、この集塵部81が自立可能に構成されている。このように、前記集塵部81は単純な構造に構成されている。また、前記導入部85の下端には、吸込口体たるノズル20が着脱自在に取り付けられている。
つぎに、本実施形態の作用について説明する。まず、使用者は前記集塵部81の第一開口部82に前記円錐部91、前記第一開口部82及び第二開口部83に前記フィルタ部材71を取り付ける。このとき、前記フィルタ部材71のシール部73が前記第一開口部82及び第二開口部83の内壁に密接する。そして、前記集塵部81の第二受部89を前記固定フック10と係合させた後、前記第一受部88を前記可動フック８と係合させることで、前記集塵部81が前記掃除機本体１に対して取り付けられる。このとき、前記ガイド部５が前記第一開口部82に挿入されると共に、前記凸部９が前記第二開口部83に挿入されることで、前記集塵部81が前記掃除機本体１に対して位置決めされる。そして、前記フィルタ部材71のリップ部74が、前記吸気孔６を囲むように前記ガイド部５の下端５Ａと密接する。これによって、前記サイクロン部84内から前記吸気孔６に至る経路がシールされる。更に、前記導入部85の下端に前記ノズル20を取り付ける。
そして、前記電源コード38を前記引掛部36，37から外し、図示しないコンセントに差し込んで前記スイッチ操作部39を操作すると、前記電動送風機４が駆動される。そして、この電動送風機４の駆動によって、塵埃を含んだ気流が前記ノズル20から吸い込まれる。この気流は、前記ノズル20から吸い込まれて前記導入部85を上昇し、この導入部85の上端で前記導入壁86に沿って向きを変えると共に、前記導入口87から前記サイクロン部84の側壁における一方の接線方向に向かって、前記サイクロン部84に導入される。このとき、前記導入部85の下端からこの導入部85及び導入口87を経て前記サイクロン部84に至る経路が、同一の部材によって一体に構成されているため、気流がこの区間でリークする虞が殆どない。そして、前記サイクロン部84に導入された気流は、前記サイクロン部84の内周面に沿って渦流となり、螺旋状に下降することになる。この際、この渦流に含まれる塵埃は、遠心力によって前記サイクロン部84の内周面に押し付けられることになる。そして、前記渦流が前記サイクロン部84の底部に至ると、前記サイクロン部84の内周面側で下降していた渦流は前記サイクロン部84の中央付近で上昇に転じる。このとき、前述したように、渦流に含まれていた塵埃は遠心力によって前記サイクロン部84の内周面に押し付けられているので、渦流が前記サイクロン部84の内周面側から中央付近に流れたとしても、比較的粗い塵埃はそのまま前記サイクロン部84の内周面付近に留まることになり、渦流から分離される。
一方、比較的細かい塵埃は、渦流に混じって前記サイクロン部84の中央付近まで移動し、渦流の上昇に伴って前記サイクロン部84内を上昇することになる。そして、この上昇した渦流は、上方の前記円錐部91の側面に形成されている前記通風口94を通過することになる。この際、渦流に含まれている比較的細かい塵埃は、前記通風口94に取り付けられている前記フィルタ95によって捕集され、更にこのフィルタ95を通過した、より細かい塵埃は、前記円錐部91の上方に設けられた前記フィルタ部材71のフィルタ70によって捕集される。そして、前記円錐部91のフィルタ95及び前記フィルタ部材71のフィルタ70を通過した気流は、前記吸気孔６から前記電動送風機４に至り、更に前記掃除機本体１外に抜ける。
清掃終了後、前記ノズル20を前記導入部85の下端から取り外した後、前記可動フック８を操作して前記集塵部81を前記掃除機本体１から取り外す。そして、前記フィルタ部材71及び円錐部91を前記第一開口部82及び第二開口部83から取り外し、前記フィルタ95，70に付着した塵埃を除去する。また、前記サイクロン部84に溜まった塵埃をゴミ箱に捨てる。このとき、前記集塵部81には前記サイクロン部84と導入部85が一体に形成されているため、前記サイクロン部84内の塵埃を簡単に捨てることができるばかりでなく、軽い前記集塵部81を持って前記導入部85内に溜まってしまった塵埃も簡単に除去できる。従って、清掃途中でシート状物等を吸い込んでしまい、前記導入部85や導入口87に詰まってしまった場合でも、このシート状物等を簡単に除去することができる。更に、前記集塵部81は樹脂で一体成形されているため、水洗いが可能であり、従って、水洗いすれば前記サイクロン部84及び導入部85をより一層清浄な状態にすることができる。更に、前記サイクロン部84の下端近傍に設けた前記脚部81Ｂと導入部85の下端によって、前記集塵部81は前記第一開口部82，第二開口部83を上に向けて自立可能に構成されているので、塵埃を捨てる際などに塵埃を散らかすことなく一時的に平坦な場所に置いておくことが可能であり、便利である。
以上のように、電動送風機４を有する掃除機本体１と、この掃除機本体１に対して着脱自在に取り付けられる集塵部81よりなるサイクロン式電気掃除機において、前記集塵部81を、有底で略円筒形状のサイクロン部84と、このサイクロン部84に塵埃を含む気流を導入する導入部85とで構成し、前記サイクロン部84と前記導入部85とを一体に形成すると共に、前記集塵部81に渦流発生手段たる導入壁86を設け、前記導入部85に吸込口体たるノズル20を着脱自在に取り付けたものであるので、前記ノズル20から吸引された気流が、前記集塵部81の導入部85を通過して、この導入部85と一体に形成された前記サイクロン部84に導入され、このサイクロン部84内で前記導入壁86によって渦流となることで、遠心力で塵埃を分離した後、前記電動送風機４を通過して前記掃除機本体１外に放出される。そして、前記サイクロン部84に溜まった塵埃は前記導入部85ごと前記集塵部81を取り外すことで廃棄される。したがって、複雑な構造になりがちなサイクロン式電気掃除機でありながら前記掃除機本体１の構造を単純にできるばかりでなく、前記サイクロン部84に溜まった塵埃が前記導入部85ごと前記集塵部81を取り外すことで廃棄されるので、前記サイクロン部84のみならず前記導入部85の保守整備を容易に行うことができる。さらに、前記導入部85から前記サイクロン部84までの構造が単純にでき、また部品点数が削減できるので、安価にすることができるばかりでなく、前記導入部85から前記サイクロン部84までの間に接合箇所が無く、従ってサイクロン式電気掃除機全体における接合箇所が少なくできるので、吸気通路における気流漏れの可能性を低減して集塵性能を高めることができる。
また、渦流発生部材たる前記導入壁86を前記集塵部81と一体に形成したものであるから、気流漏れの可能性をより低減させることができる。
また、前記集塵部81の前記掃除機本体１に取り付けられる上部に開口部たる第一開口部82，第二開口部83を形成し、この上部側に前記導入壁86を設けると共に、前記導入部85を円筒形状に形成し、前記上部側に前記導入部85と前記サイクロン部84とを連通する導入口87を設け、この導入口87を前記導入部85の軸交差方向に開放するように形成したものであるから、前記導入部85から前記サイクロン部84にかけて気流漏れの可能性がより低減されるので、集塵性能をより高めることができる。
また、前記導入口87を前記サイクロン部84の側壁の接線方向に開放するように構成したものであるから、前記サイクロン部84内で渦流を効率良く発生させることができる。
また、前記導入部85の前記一端側の軸方向を閉塞し、前記導入部85からの気流を前記導入口87へ導入する導入壁86を設け、この導入壁86を滑らかな曲面状に形成したものであるから、前記導入壁86によって、前記導入部85からの気流をスムーズに前記導入口87へ導くことができる。
さらに、前記サイクロン部84と導入部85の間に、これらを連結するリブ81Ａを一体に形成したので、前記集塵部81の剛性を高くし、この集塵部81の破損等を防止することができる。
また、前記サイクロン部84下端近傍には、前記集塵部81と一体に脚部81Ｂが設けられ、この脚部81Ｂの下端と前記導入部85の下端は面一に形成されているので、前記掃除機本体１から前記集塵部81を取り外した際に、前記集塵部81を平坦な場所に自立させることができる。
なお、本発明は以上の実施形態に限定されるものではなく、発明の要旨の範囲内で種々の変形が可能である。例えば、上記各実施形態では、導入部の先端に直接吸込口体を取り付けているが、導入部の先端と吸込口体の間に延長管等の別体の管を介在させて間接的に取り付けてもよい。この場合、気流漏れの虞は増大するものの、整備性は向上する。また、上記各実施形態では、集塵部はサイクロン部と導入部を同一の部材で一体に形成することで構成されているが、サイクロン部と導入部を別体とし、これらを溶着や接着等によって気密に一体に形成することで構成してもよい。また、導入壁についても、溶着や接着等によって集塵部と一体に形成してもよい。
【発明の効果】
本発明の請求項１記載のサイクロン式電気掃除機は、電動送風機を有する掃除機本体と、この掃除機本体に対して着脱自在に取り付けられる集塵部とからなるスティック型のサイクロン式電気掃除機において、前記集塵部を、有底で略円筒形状のサイクロン部と、前記サイクロン部の軸方向と略平行にして前記サイクロン部に塵埃を含む気流を導入する導入部と、前記サイクロン部と前記導入部を連結するリブと、を樹脂で一体成形することにより形成し、前記集塵部の上部に渦流発生手段を設け、前記導入部の下端に吸込口体を着脱自在に取り付けたものであり、複雑な構造になりがちなサイクロン式電気掃除機でありながら前記掃除機本体の構造を単純にできるばかりでなく、前記サイクロン部に溜まった塵埃が前記導入部ごと前記集塵部を取り外すことで廃棄されるので、前記サイクロン部のみならず前記導入部の保守整備を容易に行うことができる。さらに、前記導入部から前記サイクロン部までの構造が単純にでき、また部品点数が削減できるので、安価にすることができるばかりでなく、前記導入部から前記サイクロン部までの間に接合箇所が少なく、従ってサイクロン式電気掃除機全体における接合箇所が少なくできるので、吸気通路における気流漏れの可能性を低減して集塵性能を高めることができる。また、前記集塵部の剛性を高くし、前記集塵部の破損等を防止することができる。
また、本発明の請求項２記載のサイクロン式電気掃除機は、請求項１において、前記渦流発生手段を前記集塵部に対し着脱自在に設けたものであり、前記集塵部を前記掃除機本体から取り外し、前記渦流発生手段を前記集塵部から取り外すことで、前記サイクロン部及び導入部を容易に保守整備可能となるので、簡単に前記集塵部を保守整備して集塵性能を保つことができる。
また、本発明の請求項３記載のサイクロン式電気掃除機は、請求項１において、前記渦流発生手段を前記導入部と一体に成形したものであり、気流漏れの可能性をより低減させることができる。
また、本発明の請求項４記載のサイクロン式電気掃除機は、請求項２又は３において、前記集塵部の前記掃除機本体に取り付けられる上部に開口部を形成し、この上部側に前記渦流発生手段を設けると共に、前記導入部を円筒形状に形成し、前記上部側に前記導入部と前記サイクロン部とを連通する導入口を設け、この導入口を前記導入部の軸と直交する方向に開放するように形成したものであり、前記導入部から前記サイクロン部にかけて気流漏れの可能性がより低減されるので、集塵性能をより高めることができる。
また、本発明の請求項５記載のサイクロン式掃除機は、請求項４において、前記導入口を前記サイクロン部の側壁に設けたものであり、前記サイクロン部内で渦流を効率良く発生させることができる。
また、本発明の請求項６記載のサイクロン式掃除機では、請求項４又は５において、前記導入部の軸方向上端側を閉塞し、前記導入部からの気流を前記導入口へ導入する導入壁を設け、この導入壁を滑らかな曲面状に形成したものであり、前記導入壁によって、前記導入部からの気流をスムーズに導入口へ導くことができる。
【図面の簡単な説明】
【図１】  本発明の第一の実施形態を示すサイクロン式電気掃除機の正面図である。
【図２】  同上、側面図である。
【図３】  同上、拡大断面図である。
【図４】  同上、集塵部の側面図である、
【図５】  同上、集塵部の断面図である。
【図６】  同上、集塵部の平面図である。
【図７】  同上、渦流発生部材の側面図である。
【図８】  同上、渦流発生部材の断面図である。
【図９】  本発明の第二実施形態を示すサイクロン式電気掃除機の集塵部の断面図である。
【図１０】  同上、集塵部の平面図である。
【図１１】  同上、渦流発生部材の底面図である。
【図１２】  本発明の第三実施形態を示すサイクロン式電気掃除機の集塵部の断面図である。
【図１３】  同上、集塵部の平面図である。
【図１４】  同上、円錐部の底面図である。
【符号の説明】
１  掃除機本体
４  電動送風機
11，51，81  集塵部
11Ａ，51Ａ，81Ａ  リブ
12，52，82  第一開口部（開口部）
13，53，83  第二開口部（開口部）
14，54，84  サイクロン部
15，55，85  導入部
16，56  導入壁
17，57，87  導入口
20  ノズル（吸込口体）
21，61  渦流発生部材（渦流発生手段）
86  導入壁（渦流発生手段）
【図１】
0004021686.tif 000002
【図２】
0004021686.tif 000003
【図３】
0004021686.tif 000004
【図４】
0004021686.tif 000005
【図５】
0004021686.tif 000006
【図６】
0004021686.tif 000007
【図７】
0004021686.tif 000008
【図８】
0004021686.tif 000009
【図９】
0004021686.tif 000010
【図１０】
0004021686.tif 000011
【図１１】
0004021686.tif 000012
【図１２】
0004021686.tif 000013
【図１３】
0004021686.tif 000014
【図１４】
0004021686.tif 000015